(57)【要約】【課題】表示デバイスの温度変化に応じた表示画像の輝度や色の変化を精度良く低減することのできる技術を提供する。【解決手段】本発明の画像表示装置は、入力された画像信号に基づく画像を表示する表示部と、表示部の温度を検出する検出手段と、検出手段で検出された温度に基づく処理であって、表示部の温度変化による画面上の画像の変化を抑制する処理である抑制処理を画像信号に施し、抑制処理後の画像信号を表示部に出力する補正手段と、を有し、抑制処理後の画面上の画像の誤差が、表示部の温度変化による画面上の画像の変化量以上となる温度範囲が設定されており、補正手段は、検出手段で検出された温度が温度範囲外の温度である場合に、抑制処理を行い、検出手段で検出された温度が温度範囲内の温度である場合に、抑制処理を行わない。【選択図】図１
2014041285.tif 000002
【特許請求の範囲】
【請求項１】
入力された画像信号に基づく画像を表示する表示部と、
前記表示部の温度を検出する検出手段と、
前記検出手段で検出された温度に基づく処理であって、前記表示部の温度変化による画面上の画像の変化を抑制する処理である抑制処理を画像信号に施し、抑制処理後の画像信号を前記表示部に出力する補正手段と、
を有し、
前記抑制処理後の前記画面上の画像の誤差が、前記表示部の温度変化による前記画面上の画像の変化量以上となる温度範囲が設定されており、
前記補正手段は、
前記検出手段で検出された温度が前記温度範囲外の温度である場合に、前記抑制処理を行い、
前記検出手段で検出された温度が前記温度範囲内の温度である場合に、前記抑制処理を行わない
ことを特徴とする画像表示装置。
【請求項２】
前記検出手段で検出された温度に基づいて補正パラメータを決定する決定手段と、
前記表示部の温度が基準温度のときの前記画面上の画像の測定結果に基づいて決定された補正パラメータであって、前記表示部の温度が前記基準温度のときに前記画面上の画像を目標値に一致させる補正パラメータを取得する取得手段と、
をさらに有し、
前記温度範囲は、前記抑制処理後の前記画面上の画像の誤差が、前記表示部の温度が前記基準温度から変化したことによる前記画面上の画像の変化量以上となる温度範囲であり、
前記補正手段は、
前記検出手段で検出された温度が前記温度範囲外の温度である場合に、前記決定手段で決定された補正パラメータを用いて画像信号を補正し、
前記検出手段で検出された温度が前記温度範囲内の温度である場合に、前記取得手段で取得された補正パラメータを用いて画像信号を補正する
ことを特徴とする請求項１に記載の画像表示装置。
【請求項３】
前記温度範囲は、前記抑制処理の精度、及び、前記表示部の温度変化と前記画面上の画像の変化との関係に基づいて決定された温度範囲である
ことを特徴とする請求項１または２に記載の画像表示装置。
【請求項４】
光源部を有し、
前記表示部は、前記光源部からの光を透過して画像を表示するものであり、
前記検出手段は、前記光源部の温度と、前記画像表示装置の外部の温度とを検出することにより、前記表示部の温度を間接的に検出する
ことを特徴とする請求項１〜３のいずれか１項に記載の画像表示装置。
【請求項５】
前記補正手段は、前記画面上の画像の輝度、色、及び、階調特性の少なくともいずれかを補正する
ことを特徴とする請求項１〜４のいずれか１項に記載の画像表示装置。
【請求項６】
入力された画像信号に基づく画像を表示する表示部を有する画像表示装置の制御方法であって、
前記表示部の温度を検出する検出ステップと、
前記検出ステップで検出された温度に基づく処理であって、前記表示部の温度変化によ
る画面上の画像の変化を抑制する処理である抑制処理を画像信号に施し、抑制処理後の画像信号を前記表示部に出力する補正ステップと、
を有し、
前記抑制処理後の前記画面上の画像の誤差が、前記表示部の温度変化による前記画面上の画像の変化量以上となる温度範囲が設定されており、
前記補正ステップでは、
前記検出ステップで検出された温度が前記温度範囲外の温度である場合に、前記抑制処理を行い、
前記検出ステップで検出された温度が前記温度範囲内の温度である場合に、前記抑制処理を行わない
ことを特徴とする画像表示装置の制御方法。
【請求項７】
前記検出ステップで検出された温度に基づいて補正パラメータを決定する決定ステップと、
前記表示部の温度が基準温度のときの前記画面上の画像の測定結果に基づいて決定された補正パラメータであって、前記表示部の温度が前記基準温度のときに前記画面上の画像を目標値に一致させる補正パラメータを取得する取得ステップと、
をさらに有し、
前記温度範囲は、前記抑制処理後の前記画面上の画像の誤差が、前記表示部の温度が前記基準温度から変化したことによる前記画面上の画像の変化量以上となる温度範囲であり、
前記補正ステップでは、
前記検出ステップで検出された温度が前記温度範囲外の温度である場合に、前記決定ステップで決定された補正パラメータを用いて画像信号を補正し、
前記検出ステップで検出された温度が前記温度範囲内の温度である場合に、前記取得ステップで取得された補正パラメータを用いて画像信号を補正する
ことを特徴とする請求項６に記載の画像表示装置の制御方法。
【請求項８】
前記温度範囲は、前記抑制処理の精度、及び、前記表示部の温度変化と前記画面上の画像の変化との関係に基づいて決定された温度範囲である
ことを特徴とする請求項６または７に記載の画像表示装置の制御方法。
【請求項９】
前記画像表示装置は光源部を有し、
前記表示部は、前記光源部からの光を透過して画像を表示するものであり、
前記検出ステップでは、前記光源部の温度と、前記画像表示装置の外部の温度とを検出することにより、前記表示部の温度を間接的に検出する
ことを特徴とする請求項６〜８のいずれか１項に記載の画像表示装置の制御方法。
【請求項１０】
前記補正ステップでは、前記画面上の画像の輝度、色、及び、階調特性の少なくともいずれかを補正する
ことを特徴とする請求項６〜９のいずれか１項に記載の画像表示装置の制御方法。
【発明の詳細な説明】
【技術分野】
【０００１】
本発明は、画像表示装置及びその制御方法に関する。
【背景技術】
【０００２】
液晶パネルなどの表示デバイスは、温度変化に応じて分光透過率が変化する。そのため、温度変化に応じて、画面上の画像（表示された画像；表示画像）の輝度や色が変化してしまう。
液晶パネルの温度変化に起因する表示画像の輝度や色の変化を抑制する従来技術は、例えば、特許文献１に開示されている。特許文献１に開示の技術では、液晶パネルの近傍の温度が検出され、検出された温度に応じてバックライトの発光量が制御される。それにより、液晶パネルの温度変化に起因する輝度や色の変化が抑制される。
【０００３】
しかしながら、特許文献１に開示の技術では、抑制結果（表示画像の輝度や色の補正結果）に誤差が生じることがあるため、輝度や色を高精度に補正することが困難であった。
上記誤差が生じる要因の１つは、検出された温度に誤差が生じることにある。特許文献１に開示の技術で検出される温度は、液晶パネルの近傍の温度であり、液晶パネル自体の温度ではない。そのため、検出された温度に誤差（液晶パネル自体の温度からのずれ）が生じてしまう。検出された温度に誤差が生じると、正確な補正パラメータ（輝度や色を補正する処理で使用されるパラメータ）が得られず、輝度や色の補正結果に誤差が生じてしまう。
補正結果に誤差が生じるもう１つの要因は、検出された温度に応じた補正パラメータの算出結果に誤差が生じることにある。補正パラメータは、検出された温度から予測される輝度や色の変化に基づいて算出されるが、予測した変化が必ずしも正確なものであるとは限らない（正確な変化から若干ずれた変化が予測されることがある）。予測した変化が、正確な変化と異なると、正確な補正パラメータが得られず、輝度や色の補正結果に誤差が生じてしまう。
【先行技術文献】
【特許文献】
【０００４】
【特許文献１】特開２００６−２７６７２５号公報
【発明の概要】
【発明が解決しようとする課題】
【０００５】
本発明は、表示デバイスの温度変化に応じた表示画像の輝度や色の変化を精度良く低減することのできる技術を提供することを目的とする。
【課題を解決するための手段】
【０００６】
本発明の画像表示装置は、
入力された画像信号に基づく画像を表示する表示部と、
前記表示部の温度を検出する検出手段と、
前記検出手段で検出された温度に基づく処理であって、前記表示部の温度変化による画面上の画像の変化を抑制する処理である抑制処理を画像信号に施し、抑制処理後の画像信号を前記表示部に出力する補正手段と、
を有し、
前記抑制処理後の前記画面上の画像の誤差が、前記表示部の温度変化による前記画面上の画像の変化量以上となる温度範囲が設定されており、
前記補正手段は、
前記検出手段で検出された温度が前記温度範囲外の温度である場合に、前記抑制処理を行い、
前記検出手段で検出された温度が前記温度範囲内の温度である場合に、前記抑制処理を行わない
ことを特徴とする。
【０００７】
本発明の画像表示装置の制御方法は、
入力された画像信号に基づく画像を表示する表示部を有する画像表示装置の制御方法であって、
前記表示部の温度を検出する検出ステップと、
前記検出ステップで検出された温度に基づく処理であって、前記表示部の温度変化による画面上の画像の変化を抑制する処理である抑制処理を画像信号に施し、抑制処理後の画像信号を前記表示部に出力する補正ステップと、
を有し、
前記抑制処理後の前記画面上の画像の誤差が、前記表示部の温度変化による前記画面上の画像の変化量以上となる温度範囲が設定されており、
前記補正ステップでは、
前記検出ステップで検出された温度が前記温度範囲外の温度である場合に、前記抑制処理を行い、
前記検出ステップで検出された温度が前記温度範囲内の温度である場合に、前記抑制処理を行わない
ことを特徴とする。
【発明の効果】
【０００８】
本発明によれば、表示デバイスの温度変化に応じた表示画像の輝度や色の変化を精度良く低減することができる。
【図面の簡単な説明】
【０００９】
【図１】実施例１に係る画像表示装置の構成の一例を示すブロック図
【図２】実施例１に係る画像表示装置の動作の一例を示すフローチャート
【図３】実施例１係る校正処理時に入力される画像信号の一例を示す図
【図４】実施例１に係る画像表示装置の動作の一例を示すフローチャート
【図５】図４のＳ２２の判定基準である温度範囲の一例を示す図
【図６】実施例２に係る画像表示装置の構成の一例を示すブロック図
【図７】実施例２に係る画像表示装置の動作の一例を示すフローチャート
【図８】実施例２係る校正処理時に入力される画像信号の一例を示す図
【図９】実施例２に係る画像表示装置の動作の一例を示すフローチャート
【図１０】図９のＳ４２の判定基準である温度範囲の一例を示す図
【図１１】実施例２に係る係数ＴＳ１の一例を示す図
【図１２】実施例２に係る係数ＴＳ２の一例を示す図
【発明を実施するための形態】
【００１０】
＜実施例１＞
以下、図面を参照して、本発明の実施例１に係る画像表示装置及びその制御方法について詳細に説明する。
図１は、本実施例に係る画像表示装置の構成の一例を示すブロック図である。
図１に示すように、本実施例に係る画像表示装置は、画像入力部１１０、画像補正部１２０、表示部１３０、光源部１４０、光源温度検出部１５０、外気温検出部１６０、測定部１７０、記憶部１８０、温度補正パラメータ決定部１９０、温度判定部２００、補正パラメータ設定部２１０などを有する。
【００１１】
画像入力部１１０は、例えば、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ＤＶＩ（Ｄｉｇｉｔａｌ  Ｖｉｓｕａｌ  Ｉｎｔｅｒｆａｃｅ）、ＤｉｓｐｌａｙＰｏｒｔなどの画像入力端子である。画像入力部１１０は、パーソナルコンピュータやビデオプレイヤーなどの画像出力機器と接続される。画像入力部１１０は、画像出力機器が出力する画像信号を受信し、受信した画像信号を画像補正部１２０に出力する。本実施例では、画像信号としてＲＧＢ信号が受信されるものとする。ＲＧＢ信号は、赤色成分の信号であるＲ信号、緑色成分の信号であるＧ信号、青色成分の信号であるＢ信号を含む。Ｒ信号の値、Ｇ信号の値、Ｂ信号の値は、それぞれ、８ビット（０〜２５５）の値で表される。
【００１２】
画像補正部１２０は、表示部１３０に表示される画像（画面上の画像；表示画像）の輝度や色を補正する。例えば、画像補正部１２０は、画像入力部１１０が出力する画像信号に抑制処理を施し、抑制処理後の画像信号を表示部１３０に出力する。抑制処理は、後述する光源温度検出部１５０と外気温検出部１６０で検出された温度に基づく処理であって、表示部１３０の温度変化による表示画像の変化を抑制する処理である。本実施例では、画像補正部１２０は、補正パラメータを用いて、画像入力部１１０が出力する画像信号を補正し、補正後の画像信号を表示部１３０に出力する。補正パラメータは、例えば、Ｒ信号に乗算するＲゲイン、Ｇ信号に乗算するＧゲイン、及び、Ｂ信号に乗算するＢゲインである。
なお、補正パラメータはこれに限るものではない。補正パラメータは、補正前のＲＧＢ信号の値を補正後のＲＧＢ信号の値に変換する変換マトリクスであってもよい。また、補正パラメータは、補正前のＲ信号の値と補正後のＲ信号の値との対応関係、補正前のＧ信号の値と補正後のＧ信号の値との対応関係、及び、補正前のＢ信号の値と補正後のＢ信号の値との対応関係を表すテーブルであってもよい。
【００１３】
表示部１３０は、画像補正部１２０が出力する画像信号に基づく画像を表示する。本実施例では、表示部１３０は、光源部１４０からの光を透過して画像を表示する。表示部１３０としては、液晶パネルを用いることができる。
光源部１４０は、表示部１３０の背面に光（例えば白色光）を照射する。本実施例では、光源部１４０は面光源として機能する。光源部１４０の光源としては、ＬＥＤ、冷陰極管などを用いることができる。
光源部１４０として、サブピクセル毎の有機ＥＬ素子を有する光源装置を用いることもできる。その場合には、表示部１３０として、サブピクセル毎のカラーフィルタを有するパネルを用いればよい。また、表示部１３０は、プラズマディスプレイパネルのような自発光の表示パネルであってもよい。その場合には、光源部１４０は不要である。
【００１４】
光源温度検出部１５０は、光源部１４０の温度（光源温度）を検出する温度センサである。光源温度検出部１５０は、光源部１４０の近傍に設けられている。光源温度検出部１５０は、検出結果である光源温度検出値（光源部１４０の温度）を記憶部１８０、温度補正パラメータ決定部１９０、温度判定部２００に出力する。
外気温検出部１６０は、画像表示装置の外部の温度（外気温）を検出する温度センサである。外気温検出部１６０は、検出結果である外気温検出値（画像表示装置の外部の温度）を記憶部１８０、温度補正パラメータ決定部１９０、温度判定部２００に出力する。
表示部１３０の温度は、主に光源温度と外気温によって決まる。本実施例では、表示部１３０の温度を直接検出する代わりに、光源温度と外気温を検出することで、表示部１３０の温度を間接的に検出する。
【００１５】
測定部１７０は、表示画像（表示画像の輝度や色）を測定する測定器である。測定部１７０の測定結果は、例えば、３刺激値（ＸＹＺ）である。表示画像は、表示部１３０や光
源部１４０の経年変化などによって変化してしまう。本実施例では、測定部１７０が表示画像を測定し、画像補正部１２０が測定結果に基づいて画像信号を補正することにより、表示画像を経年変化前の状態に戻すことができる。具体的には、測定部１７０は、表示画像の測定結果に基づいて画像補正部１２０で用いる補正パラメータを決定し、取得する。そして、測定部１７０は、取得した補正パラメータを記憶部１８０に出力する。表示画像が測定されたときの表示部１３０の温度を基準温度とする。表示部１３０の温度が基準温度のときに、画像補正部１２０が、上記測定部１７０で取得された補正パラメータを用いて画像信号を補正することにより、表示画像を経年変化前の状態（目標値）に一致させることができる。本実施例では、表示画像を測定し、その測定結果から補正パラメータを決定する処理を“校正処理”と呼ぶ。
なお、表示画像は、画像表示装置とは別体の装置（測定器）により測定されてもよい。また、表示画像の測定結果から補正パラメータを決定する処理は、測定部１７０以外の機能部により行われてもよい。画像表示装置は、表示画像の測定結果から補正パラメータを決定する処理を行う決定部を有していてもよい。表示画像の測定結果から補正パラメータを決定する処理は、画像表示装置とは別体の装置によって行われ、校正処理により決定された補正パラメータは、外部から取得されてもよい。
校正処理時の画像表示装置の動作の詳細は後述する。
【００１６】
記憶部１８０は、不揮発メモリなどの書き換え可能な記憶媒体である。記憶部１８０は、校正処理により決定された補正パラメータを記憶する。また、校正処理時に光源温度検出部１５０で検出された光源温度検出値と、校正処理時に外気温検出部１６０で検出された外気温検出値とを基準温度として記憶する。記憶部１８０は、基準温度（校正処理時の光源温度検出値と外気温検出値）を温度補正パラメータ決定部１９０と温度判定部２００に、校正処理により決定された補正パラメータを温度補正パラメータ決定部１９０と補正パラメータ設定部２１０に出力する。
【００１７】
温度補正パラメータ決定部１９０は、光源温度検出値と外気温検出値に基づいて、表示部１３０の温度変化による表示画像の変化を抑制する補正パラメータ（上記抑制処理で使用されるパラメータ）を決定する。具体的には、光源温度検出値が校正処理時の光源温度検出値からずれたことや、外気温検出値が校正処理時の外気温検出値からずれたことによる表示画像の変化を抑制する補正パラメータが決定される。温度補正パラメータ決定部１９０は、決定した補正パラメータを補正パラメータ設定部２１０に出力する。
本実施例では、温度補正パラメータ決定部１９０は、所定の計算式を用いて、光源温度検出値と外気温検出値から補正パラメータを算出する。計算式は、例えば、設計検討時などに予め決定される。計算式は、例えば、光源温度検出値及び外気温検出値と、補正パラメータとの関係を調べ、当該関係に基づいて決定される。
なお、計算式は、上記関係を複数台の画像表示装置について調べ、それらを代表する関係に基づいて決定されてもよい。
なお、温度補正パラメータ決定部１９０は、演算により補正パラメータを算出してもよいし、予め用意された複数の補正パラメータの中から選択してもよい。
【００１８】
本実施例では、温度補正パラメータ決定部１９０で決定された補正パラメータを用いた補正後の表示画像（抑制処理後の表示画像）の誤差が、表示部１３０の温度変化（基準温度からの変化）による表示画像の変化量以上となる温度範囲が設定されている。
温度判定部２００は、現在の表示部１３０の温度（光源温度検出値と外気温検出値）が上記温度範囲内の温度か否かを判定する。そして、現在の表示部１３０の温度が上記温度範囲内の温度である場合には、温度判定部２００は、補正パラメータ設定部２１０に判定結果“１”を出力する。現在の表示部１３０の温度が上記温度範囲外の温度である場合には、温度判定部２００は、補正パラメータ設定部２１０に判定結果“０”を出力する。
なお、上記温度範囲は、メーカやユーザ等により予め設定されていてもよいし、上記判
定時や上記校正処理時などに画像表示装置によって決定され、設定されてもよい。
【００１９】
補正パラメータ設定部２１０は、温度判定部２００の判定結果に応じて、画像補正部１２０が使用する補正パラメータ（Ｒゲイン、Ｇゲイン、Ｂゲイン）を決定（選択）し、決定した補正パラメータを画像補正部１２０に設定する。判定結果が“１”の場合には、補正パラメータ設定部２１０は、校正処理で決定された補正パラメータを記憶部１８０から読み出し、画像補正部１２０に設定する。判定結果が“０”の場合には、補正パラメータ設定部２１０は、温度補正パラメータ決定部１９０で決定された補正パラメータを画像補正部１２０に設定する。即ち、本実施例では、判定結果が“０”の場合には、温度補正パラメータ決定部１９０で決定された補正パラメータを用いた画像信号の補正（即ち、抑制処理）が行われる。そして、判定結果が“１”の場合には、温度補正パラメータ決定部１９０で決定された補正パラメータを用いた画像信号の補正が行われず、校正処理で決定された補正パラメータを用いた画像信号の補正が行われる。
【００２０】
（校正処理時の画像表示装置の動作）
以下、図２のフローチャートを参照して、校正処理時の画像表示装置の動作の一例を説明する。以下では、一例として、白色画像信号（Ｒ信号の値＝２５５、Ｇ信号の値＝２５５、Ｂ信号の値＝２５５）に基づく表示画像の測定結果（３刺激値）をＸＷ（＝Ｘ値）、ＹＷ（＝Ｙ値）、ＺＷ（＝Ｚ値）と一致させる校正処理について説明する。
【００２１】
まず、Ｓ１１において、図３に示す３つの画像信号が順番に画像入力部１１０に入力される。そして、図３に示す３つの画像信号に基づく３つの表示画像が順番に表示部１３０で表示され、各表示画像が測定部１７０で測定される。図３に示す３つの画像信号は、赤色画像の信号、緑色画像の信号、及び、青色画像の信号である。赤色画像の信号は、Ｒ信号の値が２５５、Ｇ信号の値が０、Ｂ信号の値が０の画像信号である。緑色画像の信号は、Ｒ信号の値が０、Ｇ信号の値が２５５、Ｂ信号の値が０の画像信号である。青色画像の信号は、Ｒ信号の値が０、Ｇ信号の値が０、Ｂ信号の値が２５５の画像信号である。測定部１７０による赤色画像の測定結果をＸＲ、ＹＲ、ＺＲと記載する。測定部１７０による緑色画像の測定結果をＸＧ、ＹＧ、ＺＧと記載する。測定部１７０による青色画像の測定結果をＸＢ、ＹＢ、ＺＢと記載する。ＸＲ、ＸＧ、ＸＢはＸ値、ＹＲ、ＹＧ、ＹＢはＹ値、ＺＲ、ＺＧ、ＺＢはＺ値である。
【００２２】
次に、Ｓ１２において、測定部１７０により、白色画像信号に基づく表示画像（白色画像）の測定結果がＸＷ、ＹＷ、ＺＷと一致する画像補正部１２０の補正パラメータが決定される。
【００２３】
本実施例では、まず、式１を用いて、図３の３つの画像信号の値と、Ｓ１１での３つの画像の測定結果とから、画像信号の値を３刺激値に変換する変換行列Ｍが算出される。変換行列Ｍを、画像信号の値に左から乗算することにより、当該画像信号の値を３刺激値（測定部１７０の測定結果）に変換することができる。
【数１】
2014041285.tif 000003
【００２４】
次に、行列Ｍの逆行列ＩＮＶＭが算出される。そして、式２に示すように、逆行列ＩＮＶＭを、目標測定値である白色画像の測定値（ＸＷ、ＹＷ、ＺＷ）に左から乗算することにより、画像信号の値（Ｒ１、Ｇ１、Ｂ１）が算出される。Ｒ１はＲ信号の値、Ｇ１はＧ
信号の値、Ｂ１はＢ信号の値である。
【数２】
2014041285.tif 000004
逆行列ＩＮＶＭは、３刺激値を画像信号の値に変換する変換行列である。そのため、値（Ｒ１、Ｇ１、Ｂ１）の画像信号に基づく表示画像の測定結果は、ＸＷ、ＹＷ、ＺＷと一致する。
【００２５】
そして、式３−１〜３−３に示すように、Ｒ１、Ｇ１、Ｂ１をそれぞれ２５５で除算することにより画像補正部１２０の補正パラメータであるＲゲイン１、Ｇゲイン１、Ｂゲイン１が算出される。算出したＲゲイン１、Ｇゲイン１、及び、Ｂゲイン１を校正時補正パラメータと呼ぶ。
Ｒゲイン１＝Ｒ１÷２５５  ・・・（式３−１）
Ｇゲイン１＝Ｇ１÷２５５  ・・・（式３−２）
Ｂゲイン１＝Ｂ１÷２５５  ・・・（式３−３）
【００２６】
ここで、算出した校正時補正パラメータであるＲゲイン１、Ｇゲイン１、Ｂゲイン１が画像補正部１２０に設定された場合の例について説明する。
画像入力部１１０に白色画像信号（Ｒ信号の値＝２５５、Ｇ信号の値＝２５５、Ｂ信号の値＝２５５）が入力されると、画像補正部１２０において、Ｒ信号に対してＲゲイン１が、Ｇ信号に対してＧゲイン１が、Ｂ信号に対してＢゲイン１がそれぞれ乗算される。そして、乗算結果である値（Ｒ１、Ｇ１、Ｂ１）の画像信号が表示部１３０に出力されるので、白色画像信号に基づく表示画像の測定結果（測定部１７０による測定の結果）は、ＸＷ、ＹＷ、ＺＷと一致する。
【００２７】
Ｓ１２の次に、Ｓ１３において、光源温度検出部１５０により光源温度が検出される。このときの検出結果である光源温度検出値を校正時光源温度検出値と呼ぶ。また、外気温検出部１６０により外気温が検出される。このときの検出結果である外気温検出値を校正時外気温検出値と呼ぶ。
【００２８】
そして、Ｓ１４において、Ｓ１２で算出した校正時補正パラメータ（Ｒゲイン１、Ｇゲイン１、Ｂゲイン１）が記憶部１８０に記憶される。また、Ｓ１３で検出された校正時光源温度検出値と校正時外気温検出値が記憶部１８０に記憶される。
【００２９】
（校正処理後の画像表示装置の動作）
次に、本実施例に係る画像表示装置の通常時（校正処理後）の動作の一例を説明する。図４は、校正処理後の画像表示装置の動作の一例を示すフローチャートである。図４のフローチャートに示す動作は、例えば、１０秒周期で繰り返し実行される。
【００３０】
まず、Ｓ２１において、光源温度検出部１５０が光源温度を検出し、検出結果である光源温度検出値１を出力する。また、外気温検出部１６０が外気温を検出し、検出結果である外気温検出値１を出力する。
【００３１】
そして、Ｓ２２において、温度判定部２００が、Ｓ２１で検出された光源温度検出値１と外気温検出値１が図５に示すエリア５００内の値か否かを判定する。エリア５００は、抑制処理後の表示画像の誤差が、表示部１３０の温度変化による表示画像の変化量以上と
なる温度範囲を示す。図５において、横軸は外気温検出部１６０の検出結果である外気温検出値、縦軸は光源温度検出部１５０の検出結果である光源温度検出値を示す。エリア５００は、校正処理時に記憶部１８０に記憶した校正時外気温検出値と校正時光源温度検出値を中心とした矩形領域である。エリア５００の横軸の範囲は、校正時外気温検出値−ＴＡから校正時外気温検出値＋ＴＡであり、エリア５００の縦軸の範囲は、校正時光源温度検出値−ＴＢから校正時光源温度検出値＋ＴＢである。エリア５００（具体的には、閾値ＴＡ及び閾値ＴＢ）は、抑制処理の精度（温度補正パラメータ決定部１９０の補正パラメータの算出精度）、及び、表示部１３０及び光源部１４０の温度変化と表示画像の変化（例えば色変化）の関係に基づいて決定される。
【００３２】
温度補正パラメータ決定部１９０は、光源温度検出値及び外気温検出値に応じて画像補正部１２０の補正パラメータを算出する。しかし、温度補正パラメータ決定部１９０で決定された補正パラメータを用いた補正（画像補正部１２０による抑制処理）の結果には、誤差（補正誤差）が生じることがある。例えば、温度補正パラメータ決定部１９０で決定された補正パラメータを用いて画像補正部１２０が補正を行った場合に、補正後の表示画像の色は、目標色から色変化量Ｄだけずれることがある。ここで、“目標色”は、表示部１３０の温度が基準温度のときの表示画像の色であり、且つ、表示部１３０や光源部１４０の経年変化前の表示画像の色である。色変化量Ｄは、例えば、補正誤差の最大値、最頻値、中間値、平均値などの代表誤差である。校正処理で外気温の変化による表示画像の色変化量は、外気温の変化量が大きいほど大きい。
本実施例では、外気温が校正時外気温検出値から変化したことによる表示画像の色変化量と、温度補正パラメータ決定部１９０で決定された補正パラメータを用いた補正の結果の代表誤差（色変化量Ｄ）とが等しくなる温度差が、閾値ＴＡとして用いられる。すなわち、外気温検出値が校正時外気温検出値−ＴＡから校正時外気温検出値＋ＴＡの範囲内の値である場合には、色変化量Ｄよりも、表示部１３０及び光源部１４０の温度変化に起因する色変化量のほうが小さい。また、外気温検出値が校正時外気温検出値−ＴＡから校正時外気温検出値＋ＴＡの範囲外の値である場合には、色変化量Ｄのほうが、表示部１３０及び光源部１４０の温度変化に起因する色変化量よりも小さい。
また、本実施例では、光源温度が校正時光源温度検出値から変化したことによる表示画像の色変化量と、色変化量Ｄとが等しくなる温度差が、閾値ＴＢとして用いられる。すなわち、光源温度検出値が校正時光源温度検出値−ＴＢから校正時光源温度検出値＋ＴＢの範囲内の値である場合には、色変化量Ｄよりも、表示部１３０及び光源部１４０の温度変化に起因する色変化量のほうが小さい。また、光源温度検出値が校正時光源温度検出値−ＴＢから校正時光源温度検出値＋ＴＢの範囲外の値である場合には、色変化量Ｄのほうが、表示部１３０及び光源部１４０の温度変化に起因する色変化量よりも小さい。
【００３３】
なお、色変化量Ｄは、例えば、ＣＩＥ１９７６  ＵＣＳ色度図上におけるｕ’ｖ’座標間の距離（Δｕ’ｖ’）である。この表色系は均等色空間であり、色度図上の距離が色の感覚差にほぼ比例する。色変化量Ｄは、視覚検知限である０．００２以下であることが望ましい。
【００３４】
Ｓ２１において検出した光源温度検出値と外気温検出値がエリア５００内の値である場合には、温度判定部２００は補正パラメータ設定部２１０に“１”を出力する。その後、Ｓ２４へ処理が進められる。Ｓ２１において検出した光源温度検出値と外気温検出値がエリア５００外の値である場合には、温度判定部２００は補正パラメータ設定部２１０に“０”を出力する。その後、Ｓ２３へ処理が進められる。
【００３５】
Ｓ２３では、温度補正パラメータ決定部１９０が、校正処理時に記憶部１８０に記憶されたＲゲイン１に、光源温度検出値１と校正時光源温度検出値の差分値と、係数ＴＲ１との乗算結果を加算する。そして、温度補正パラメータ決定部１９０は、加算結果に、外気
温検出値１と校正時外気温検出値の差分値と、係数ＴＲ２との乗算結果を加算する。それにより、Ｒゲイン２が算出される。
係数ＴＲ１は、光源温度検出値の変化に対するＲゲインの変化を表す傾きである。例えば、光源温度検出値の上昇に対して表示画像の赤みが増す場合は、係数ＴＲ１として、光源温度検出値の上昇に対してＲゲインが低下するような傾き（マイナスの値）が用いられる。Ｒゲインが小さいほど、Ｒ信号の補正量（補正前のＲ信号と補正後のＲ信号の差）は小さくなり、表示画像の赤成分の補正量（補正前の表示画像と補正後の表示画像の赤成分の差）は小さくなる。
係数ＴＲ２は、外気温検出値の変化に対するＲゲインの変化を表す傾きである。例えば、外気温検出値の上昇に対して表示画像の赤みが増す場合は、係数ＴＲ２として、外気温検出値の上昇に対してＲゲインが低下するような傾き（マイナスの値）が用いられる。
光源温度検出値１が校正時光線温度検出値と等しく、且つ、外気温検出値１と校正時外気温検出値が等しい場合には、Ｒゲイン２はＲゲイン１と等しくなる。
温度補正パラメータ決定部１９０は、Ｒゲイン２と同様にＧゲイン２、Ｂゲイン２を算出する。
即ち、式４−１〜４−３を用いて、画像補正部１２０の補正パラメータであるＲゲイン２、Ｇゲイン２、Ｂゲイン２が算出される。
Ｒゲイン２＝Ｒゲイン１＋
（光源温度検出値１−校正時光源温度検出値）×ＴＲ１＋
（外気温検出値１−校正時外気温検出値）×ＴＲ２
・・・（式４−１）
Ｇゲイン２＝Ｇゲイン１＋
（光源温度検出値１−校正時光源温度検出値）×ＴＧ１＋
（外気温検出値１−校正時外気温検出値）×ＴＧ２
・・・（式４−２）
Ｂゲイン２＝Ｂゲイン１＋
（光源温度検出値１−校正時光源温度検出値）×ＴＢ１＋
（外気温検出値１−校正時外気温検出値）×ＴＢ２
・・・（式４−３）
温度補正パラメータ決定部１９０は、算出したＲゲイン２、Ｇゲイン２、Ｂゲイン２を、補正パラメータ設定部２１０に出力する。補正パラメータ設定部２１０は、Ｒゲイン２、Ｇゲイン２、Ｂゲイン２を画像補正部１２０に設定する。
【００３６】
Ｓ２４では、補正パラメータ設定部２１０は、記憶部１８０から校正時補正パラメータであるＲゲイン１、Ｇゲイン１、Ｂゲイン１を取得する。そして、補正パラメータ設定部２１０は、記憶部１８０から取得したＲゲイン１、Ｇゲイン１、Ｂゲイン１を画像補正部１２０に設定する。
【００３７】
Ｓ２３またはＳ２４の次に、Ｓ２５において、画像補正部１２０は、補正パラメータ設定部２１０により設定された補正パラメータを用いて、画像入力部１１０が出力する画像信号を補正する。具体的には、Ｒ信号にＲゲインが乗算され、Ｇ信号にＧゲインが乗算され、Ｇ信号にＢゲインが乗算される。そして、画像補正部１２０は、補正後の画像信号を表示部１３０に出力する。
【００３８】
Ｓ２１において検出した光源温度検出値１が校正時光源温度検出値と等しく、Ｓ２１において検出した外気温検出値１が校正時外気温検出値と等しい場合には、画像補正部１２０にＲゲイン１、Ｇゲイン１、Ｂゲイン１が設定される。即ち、現在の光源温度と外気温が校正処理時の温度と同じである場合には、画像補正部１２０では校正処理により決定さ
れた補正パラメータが使用される。そのため、目標値（表示部１３０の温度が基準温度のときの表示画像、且つ、表示部１３０や光源部１４０の経年変化前の表示画像）と一致する表示画像が得られる。例えば、白色画像信号を表示した場合に、測定部１７０の測定結果がＸＷ、ＹＷ、ＺＷとなる表示画像（白色画像）が表示される。
光源温度検出値１及び外気温検出値１がエリア５００内の値である場合は、画像補正部１２０にＲゲイン１、Ｇゲイン１、Ｂゲイン１が設定される。このとき、表示部１３０及び光源部１４０の温度変化に起因した色変化量は、温度補正パラメータ決定部１９０により決定された補正パラメータ（Ｒゲイン２、Ｇゲイン２、Ｂゲイン２）を用いた補正の結果の代表誤差（色変化量Ｄ）よりも小さい。そのため、校正時補正パラメータ（Ｒゲイン１、Ｇゲイン１、Ｂゲイン１）を用いることにより、温度補正パラメータ決定部１９０により決定された補正パラメータ（Ｒゲイン２、Ｇゲイン２、Ｂゲイン２）を用いる場合よりも確実に、目標値に近い表示画像が得られる。例えば、白色画像信号を表示する場合に、測定部１７０の測定結果がＸＷ、ＹＷ、ＺＷに近い表示画像をより確実に得ることができる。
光源温度検出値１及び外気温検出値１がエリア５００外の値である場合は、画像補正部１２０にＲゲイン２、Ｇゲイン２、Ｂゲイン２が設定される。このとき、温度補正パラメータ決定部１９０により決定された補正パラメータ（Ｒゲイン２、Ｇゲイン２、Ｂゲイン２）を用いた補正の結果の代表誤差（色変化量Ｄ）は、表示部１３０及び光源部１４０の温度変化に起因した色変化量よりも小さい。そのため、温度補正パラメータ決定部１９０により決定された補正パラメータ（Ｒゲイン２、Ｇゲイン２、Ｂゲイン２）を用いることにより、校正時補正パラメータ（Ｒゲイン１、Ｇゲイン１、Ｂゲイン１）を用いる場合よりも確実に、目標値に近い表示画像が得られる。
【００３９】
以上述べたように、本実施例によれば、抑制処理後の表示画像の誤差が、表示部の温度変化による表示画像の変化量以上となる温度範囲が設定されている。そして、表示部の温度が上記温度範囲外の温度である場合に、抑制処理が行われ、表示部の温度が上記温度範囲内の温度である場合に、抑制処理が行われない。それにより、表示デバイスの温度変化に応じた表示画像の輝度や色の変化を精度良く低減することができる。
なお、本実施例では、基準温度が１つの場合の例を示したが、互いに異なる複数の基準温度について校正処理が行われてもよい。その場合には、複数の基準温度をそれぞれ基準として、複数の温度範囲が設定されてもよい。そして、表示部の温度が、複数の温度範囲のいずれかの温度範囲内の温度である場合に、表示部の温度を含む温度範囲の基準温度に対応する校正時補正パラメータが補正に用いられてもよい。
なお、本実施形態では、表示部の温度として、光源温度と外気温を検出する構成としたが、これに限らない。例えば、表示部の温度として光源温度と外気温のいずれかが検出されてもよい。光源温度と外気温から表示部の温度が算出されてもよい。表示部の近傍に温度検出部を設け、該温度検出部の検出値が表示部の温度として用いられてもよい。
なお、本実施例では、校正処理時の温度を基準温度としたが、基準温度はこれに限らない。例えば、画像信号を補正せずに所望の輝度や色の画像を表示することのできる温度が、基準温度として設定され、抑制処理後の表示画像の誤差が、表示部の温度が基準温度から変化したことによる表示画像の変化量以上となる温度範囲が設定されてもよい。その場合には、表示部の温度が上記温度範囲内の温度である場合に、画像信号を補正しなければよい。
【００４０】
＜実施例２＞
以下、図面を参照して、本発明の実施例２に係る画像表示装置及びその制御方法について詳細に説明する。本実施例では、表示部の温度変化によって生じる表示画像の階調特性（ガンマ特性）の変化を補正する例を説明する。以下、実施例１と異なる点を中心に説明する。
【００４１】
図６は、本実施例に係る画像表示装置の構成の一例を示すブロック図である。
図６において、画像入力部１１０、表示部１３０、光源部１４０、光源温度検出部１５０、外気温検出部１６０、測定部１７０、記憶部１８０は、実施例１と同様の処理を行うため、それらの説明は省略する。
【００４２】
階調補正部２２０は、表示画像の階調特性（表示階調特性）を補正する。例えば、階調補正部２２０は、画像入力部１１０が出力する画像信号に抑制処理を施し、抑制処理後の画像信号を表示部１３０に出力する。抑制処理は、後述する光源温度検出部１５０と外気温検出部１６０で検出された温度に基づく処理であって、表示部１３０の温度変化による表示階調特性の変化を抑制する処理である。本実施例では、階調補正部２２０は、画像入力部１１０が出力する画像信号の信号レベル毎に、補正パラメータを用いて、その信号レベルを補正する。それにより、表示階調特性が補正される。補正パラメータは、例えば、補正前の信号レベルと補正後のレベルとの対応関係を表すテーブルである。本実施例では、補正前の信号レベルが０〜２５５の値であり、補正前の信号レベル毎に、その信号レベルに補正後の信号レベルとして０〜２５５のいずれかの値が対応付けられているものとする。例えば、表示階調特性（表示階調特性）がガンマ値＝２．２の階調特性となるように、補正前の各信号レベルに補正後のレベルが対応付けられている。
【００４３】
温度補正パラメータ決定部１９０は、表示部１３０の温度に基づいて、表示部１３０の温度変化による表示階調特性の変化を抑制する補正パラメータ（階調補正部２２０の抑制処理で使用されるパラメータ）を決定する。温度補正パラメータ決定部１９０は、決定した補正パラメータを補正パラメータ設定部２１０に出力する。
本実施例では、温度補正パラメータ決定部１９０は、所定の計算式を用いて、光源温度検出値と外気温検出値から補正パラメータを算出する。
【００４４】
本実施例では、温度補正パラメータ決定部１９０で決定された補正パラメータを用いた補正後の表示階調特性（抑制処理後の表示階調特性）の誤差が、表示部１３０の温度変化（基準温度からの変化）による表示階調特性の変化量以上となる温度範囲が設定されている。
温度判定部２００は、現在の表示部１３０の温度（光源温度検出値と外気温検出値）が上記温度範囲内の温度か否かを判定する。そして、現在の表示部１３０の温度が上記温度範囲内の温度である場合には、温度判定部２００は、補正パラメータ設定部２１０に判定結果“１”を出力する。現在の表示部１３０の温度が上記温度範囲外の温度である場合には、温度判定部２００は、補正パラメータ設定部２１０に判定結果“０”を出力する。
なお、本実施例では、実施例１と同様に、校正処理が行われ、校正処理時の光源温度検出値と外気温検出値が基準温度として用いられる。
【００４５】
補正パラメータ設定部２１０は、温度判定部２００の判定結果に応じて、階調補正部２２０が使用する補正パラメータを決定（選択）し、決定した補正パラメータを階調補正部２２０に設定する。判定結果が“１”の場合には、補正パラメータ設定部２１０は、校正処理で決定された補正パラメータを記憶部１８０から読み出し、階調補正部２２０に設定する。判定結果が“０”の場合には、補正パラメータ設定部２１０は、温度補正パラメータ決定部１９０で決定された補正パラメータを階調補正部２２０に設定する。
【００４６】
（校正処理時の画像表示装置の動作）
以下、図７のフローチャートを参照して、校正処理時の画像表示装置の動作の一例を説明する。
【００４７】
まず、Ｓ３１において、図８に示す２５６個の画像信号が順番に画像入力部１１０に入力される。そして、図８に示す２５６個の画像信号に基づく２５６個の表示画像が順番に
表示部１３０で表示され、各表示画像が測定部１７０で測定される。図８に示す２５６個の画像信号は、階調値が０〜２５５の画像信号である。階調値が０の画像信号は、Ｒ信号、Ｇ信号、及び、Ｂ信号の値が全て０の画像信号である。階調値が１２８の画像信号は、Ｒ信号、Ｇ信号、及び、Ｂ信号の値が全て１２８の画像信号である。階調値が２５５の画像信号は、Ｒ信号、Ｇ信号、及び、Ｂ信号の値が全て２５５の画像信号である。測定部１７０では、２５６個の画像信号の測定結果として、２５６個のＹ値（測定された３刺激値のＹ値）であるＹＡ０〜ＹＡ２５５が得られる。ＹＡに付されている数値は、画像信号の階調値に対応する。即ち、階調値が０の画像信号の測定結果はＹＡ０であり、階調値が１２８の画像信号の測定結果はＹＡ１２８であり、階調値が２５５の画像信号の測定結果はＹＡ２５５である。
【００４８】
次に、Ｓ３２において、測定部１７０により、表示画像のガンマ特性（表示階調特性）がガンマ値＝２．２の階調特性になるような補正後の信号レベルＹＢ０〜ＹＢ２５５が、補正パラメータとして決定される。信号レベルＹＢｘ（ｘ＝０〜２５５）は、階調値ｘの画像信号の補正後の信号レベル（階調値）である。例えば、測定部１７０は、ガンマ値＝２．２となるような輝度値（Ｙ値）に最も近い値を測定値ＹＡ０〜ＹＡ２５５の中から検索し、検索した測定値に対応する画像信号の信号レベルを補正後の信号レベルとして決定する。決定した信号レベルＹＢ０〜ＹＢ２５５を校正時補正パラメータと呼ぶ。
【００４９】
そして、Ｓ３３において、光源温度検出部１５０により光源温度が検出される。このときの検出結果である光源温度検出値を校正時光源温度検出値と呼ぶ。また、外気温検出部１６０により外気温が検出される。このときの検出結果である外気温を校正時外気温検出値と呼ぶ。
【００５０】
次に、Ｓ３４において、Ｓ３２で決定した校正時補正パラメータＹＢ０〜ＹＢ２５５が記憶部１８０に記憶される。また、Ｓ３３で検出された校正時光源温度検出値と校正時外気温検出値が記憶部１８０に記憶される。
【００５１】
（校正処理後の画像表示装置の動作）
次に、本実施例に係る画像表示装置の通常時（校正処理時）の動作の一例を説明する。図９は、校正処理後の画像表示装置の動作の一例を示すフローチャートである。図９のフローチャートに示す動作は、例えば、１０秒周期で繰り返し実行される。
【００５２】
まず、Ｓ４１において、光源温度検出部１５０が光源温度を検出し、検出結果である光源温度検出値２を出力する。また、外気温検出部１６０が外気温を検出し、検出結果である外気温検出値２を出力する。
【００５３】
そして、Ｓ４２において、温度判定部２００が、Ｓ４１で検出された光源温度検出値２と外気温検出値２が図１０に示すエリア６００内の値か否かを判定する。エリア６００は、抑制処理後の表示階調特性の誤差が、表示部１３０の温度変化による表示階調特性の変化量以上となる温度範囲を示す。図１０において、横軸は外気温検出部１６０の検出結果である外気温検出値、縦軸は光源温度検出部１５０の検出結果である光源温度検出値を示す。エリア６００は、校正処理時に記憶部１８０に記憶した校正時外気温検出値と校正時光源温度検出値を中心とした四角形領域である。エリア６００は、抑制処理の精度（温度補正パラメータ決定部１９０の補正パラメータの算出精度）、及び、表示部１３０の温度変化と表示階調特性の変化との関係に基づいて決定される。図１０の例では、外気温が校正時外気温検出値から変化したことによる表示階調特性の変化量と、温度補正パラメータ決定部１９０で決定された補正パラメータを用いた補正の結果の代表誤差とが等しくなる温度差が、閾値ＴＣとして用いられる。また、光源温度が校正時光源温度検出値から変化したことによる表示階調特性の変化量と、温度補正パラメータ決定部１９０で算出された
補正パラメータを用いた補正の結果の代表誤差とが等しくなる温度差が、閾値ＴＤとして用いられる。そして、校正時光源温度検出値、校正時外気温検出値、及び、閾値ＴＣ，ＴＤを用いて、エリア６００が決められる。具体的には、校正時光源温度検出値及び校正時外気温検出値により決まる点Ｐ１から縦軸方向に＋ＴＤ離れた点Ｐ３ａと、点Ｐ１から−ＴＤ離れた点Ｐｂとが、エリア６００の頂点として設定される。そして、外気温が変化すると光源温度も同様に変化するため、点Ｐ１から横軸方向に＋ＴＣ、縦軸方向に＋ＴＣ離れた点Ｐ２ａと、点Ｐ１から横軸方向に−ＴＣ、縦軸方向に−ＴＣ離れた点Ｐ２ｂとが、エリア６００（四角形）の辺の中点として設定される。それにより、エリア６００が決定される。
【００５４】
なお、温度補正パラメータ決定部１９０で決定された補正パラメータを用いた補正の結果の代表誤差（表示階調特性の代表誤差）は、例えば、補正後の表示画像の輝度と、ガンマ値＝２．２の階調特性に基づく輝度との差の代表値である。代表値は、平均値、最頻値、中間値、最大値などである。また、所定の階調値（中間階調値＝１２８）についての上記差を、代表誤差として用いてもよい。ガンマ値＝２．２の階調特性に基づく輝度に対する代表誤差の割合は２％未満であることが望ましい。
【００５５】
Ｓ４１において検出した光源温度検出値と外気温検出値がエリア６００内の値である場合には、温度判定部２００は補正パラメータ設定部２１０に“１”を出力する。その後、Ｓ４４へ処理が進められる。Ｓ４１において検出した光源温度検出値と外気温検出値がエリア６００外の値である場合には、温度判定部２００は補正パラメータ設定部２１０に“０”を出力する。その後、Ｓ４３へ処理が進められる。
【００５６】
Ｓ４３では、温度補正パラメータ決定部１９０が、校正処理時に記憶部１８０に記憶された校正時補正パラメータＹＢｎ（ｎ＝０〜２５５）に、光源温度検出値２と校正時光源温度検出値の差分値と、係数ＴＳ１（ｎ）との乗算結果を加算する。そして、温度補正パラメータ決定部１９０は、加算結果に、外気温検出値２と校正時外気温検出値の差分値と、係数ＴＳ２（ｎ）との乗算結果を加算する。それにより、補正パラメータＹＣｎが算出される。
即ち、式５を用いて、階調補正部２２０の補正パラメータであるＹＣｎが算出される。
ＹＣｎ＝ＹＢｎ＋
（光源温度検出値２−校正時光源温度検出値）×ＴＳ１（ｎ）＋
（外気温検出値２−校正時外気温検出値）×ＴＳ２（ｎ）
・・・（式５）
係数ＴＳ１（ｎ）は、光源温度検出値の変化に対する階調パラメータ（信号レベル）の変化を表す傾きである。例えば、光源温度検出値の上昇に対して表示画像の輝度（階調値ｎのときの輝度）が相対的に暗くなる場合は、係数ＴＳ１（ｎ）として、光源温度検出値の上昇に対して階調値ｎが高くなるような傾き（プラスの値）が用いられる。本実施例では、図１１に示すように、補正前の階調値毎の係数ＴＳ１（ＴＳ１（０）〜ＴＳ１（２５５））が用意されている。
係数ＴＳ２（ｎ）は、外気温検出値の変化に対する階調パラメータ（信号レベル）の変化を表す傾きである。例えば、外気温検出値の上昇に対して表示画像の輝度（階調値ｎのときの輝度）が相対的に暗くなる場合は、係数ＴＳ２（ｎ）として、外気温検出値の上昇に対して階調値ｎが高くなるような傾き（プラスの値）が用いられる。本実施例では、図１２に示すように、補正前の階調値毎の係数ＴＳ２（ＴＳ２（０）〜ＴＳ２（２５５））が用意されている。
なお、図１１，１２の例では、階調値の増加に対して係数が線形に増加したり減少したりしているが、階調値の増加に対して係数が非線形に増加したり減少してもよい。
温度補正パラメータ決定部１９０は、補正前の階調値０〜２５５に対応する補正後の階調値ＹＣ０〜ＹＣ２５５を算出し、算出した補正後の階調値ＹＣ０〜ＹＣ２５５を、補正パラメータとして、補正パラメータ設定部２１０に出力する。補正パラメータ設定部２１０は、補正パラメータＹＣ０〜ＹＣ２５５を階調補正部２２０に設定する。
【００５７】
Ｓ４４では、補正パラメータ設定部２１０は、記憶部１８０から校正時補正パラメータであるＹＢ０〜ＹＢ２５５を取得する。そして、補正パラメータ設定部２１０は、ＹＢ０〜ＹＢ２５５を階調補正部２２０に設定する。
【００５８】
Ｓ４３またはＳ４４の次に、Ｓ４５において、階調補正部２２０は、補正パラメータ設定部２１０により設定された補正パラメータを用いて、画像入力部１１０が出力する画像信号を補正する。具体的には、画像信号のＲ信号、Ｇ信号、Ｂ信号の値が、それぞれ、その値に対応する補正パラメータの値に置き換えられる。例えば、補正パラメータとしてＹＢ０〜ＹＢ２５５が設定されている場合には、階調補正部２２０は、値が２３３であるＲ信号の値を、ＹＢ２３３に置き換える。Ｇ信号、Ｂ信号についても同様である。また、補正パラメータとしてＹＣ０〜ＹＣ２５５が設定されている場合には、階調補正部２２０は、値が２３３であるＲ信号の値を、ＹＣ２３３に置き換える。Ｇ信号、Ｂ信号についても同様である。そして、階調補正部２２０は、補正後の画像信号を表示部１３０に出力する。
【００５９】
Ｓ４１において検出した光源温度検出値２が校正時光源温度検出値と等しく、Ｓ４１において検出した外気温検出値２が校正時外気温検出値と等しい場合には、階調補正部２２０にＹＢ０〜２５５が設定される。即ち、現在の光源温度と外気温が校正処理時の温度と同じである場合には、階調補正部２２０では、校正処理により決定された補正パラメータが使用される。そのため、ガンマ値＝２．２の階調特性の表示画像が得られる。
光源温度検出値２及び外気温検出値２がエリア６００内の値である場合は、階調補正部２２０にＹＢ０〜ＹＢ２５５が設定される。このとき、表示部１３０の温度変化に起因した表示階調特性の変化量は、温度補正パラメータ決定部１９０により決定された補正パラメータＹＣ０〜ＹＣ２５５を用いた補正の結果の代表誤差よりも小さい。そのため、校正時補正パラメータＹＢ０〜ＹＢ２５５を用いることにより、温度補正パラメータ決定部１９０により決定された補正パタメータＹＣ０〜ＹＣ２５５を用いる場合よりも確実に、目標の階調特性に近い階調特性の表示画像を得ることができる。
光源温度検出値２及び外気温検出値２がエリア６００外の値である場合は、階調補正部２２０にＹＣ０〜ＹＣ２５５が設定される。このとき、温度補正パラメータ決定部１９０により決定された補正パラメータＹＣ０〜ＹＣ２５５を用いた補正の代表誤差は、表示部１３０の温度変化に起因した表示階調特性の変化量よりも小さい。そのため、温度補正パラメータ決定部１９０により決定された補正パタメータＹＣ０〜ＹＣ２５５を用いることにより、校正時補正パラメータＹＢ０〜ＹＢ２５５を用いる場合よりも確実に、目標の階調特性に近い階調特性の表示画像を得ることができる。
【００６０】
以上述べたように、本実施例によれば、抑制処理後の表示階調特性の誤差が、表示部の温度変化による表示階調特性の変化量以上となる温度範囲が設定されている。そして、表示部の温度が上記温度範囲外の温度である場合に、抑制処理が行われ、表示部の温度が上記温度範囲内の温度である場合に、抑制処理が行われない。それにより、表示デバイスの温度変化に応じた表示階調特性の変化を精度良く低減することができる。
なお、本実施例では、目標の階調特性がガンマ値＝２．２の階調特性である場合の例を示したが、目標の階調特性はこれに限らない。
【符号の説明】
【００６１】
１２０  画像補正部
１３０  表示部
１５０  光源温度検出部
１６０  外気温検出部
２１０  補正パラメータ設定部
２２０  階調補正部
【図１】
2014041285.tif 000005
【図２】
2014041285.tif 000006
【図３】
2014041285.tif 000007
【図４】
2014041285.tif 000008
【図５】
2014041285.tif 000009
【図６】
2014041285.tif 000010
【図７】
2014041285.tif 000011
【図８】
2014041285.tif 000012
【図９】
2014041285.tif 000013
【図１０】
2014041285.tif 000014
【図１１】
2014041285.tif 000015
【図１２】
2014041285.tif 000016